(57)【要約】【課題】電話を使用しながら、手帳を開いてメモをとったりというように両手を使うためには、送受話器を耳と肩の間に挟む使い方をする場合があり、本発明は、送受話器の耳元への保持を補助するために、簡単な構成の電話機補助具を提供することを目的とする。【解決手段】送受話器１０をベルトやポケットやズボンのふちに掛止して持ち運ぶために用いるベルトクリップ２０と、肩当て板３０から成る。肩当て板３０に設けた開口部３２にクリップ部２１を通して肩当て板３０を係合させることで、肩当て板３０をベルトクリップ２０を介して送受話器１０に装着し、送受話器１０を耳元へ保持するための電話機補助具を簡単な構成にすることが可能となる。【選択図】  図５
2004207861.tif 000002
【特許請求の範囲】
【請求項１】
無線送受信可能な送受話器に装着されるベルトクリップと、
前記ベルトクリップに装着される肩当て板とを備え、
前記肩当て板は、
前記ベルトクリップを通す開口部と、
前記開口部を通った前記ベルトクリップが係合する係合部とを備えた
ことを特徴とする電話機補助具。
【請求項２】
前記係合部は、
前記開口部の縁に設けられ、前記送受話器の背面と対向する面に突設された前記ベルトクリップの爪部と係合する
ことを特徴とする請求項１に記載の電話機補助具。
【請求項３】
前記肩当て板は、
前記ベルトクリップを介して前記送受話器に装着した際に、前記ベルトクリップに当たる押え部を前記開口部の縁に形成した
ことを特徴とする請求項１に記載の電話機補助具。
【請求項４】
前記肩当て板は、
肩に接する面に滑り止めの弾性材を備えた
ことを特徴とする請求項１に記載の電話機補助具。
【請求項５】
前記肩当て板は、
前記ベルトクリップが前記開口部に入るときに、前記ベルトクリップの先端が当たって乗り越えるガイド部を前記開口部の縁に備えた
ことを特徴とする請求項１に記載の電話機補助具。
【請求項６】
前記肩当て板は、
前記ベルトクリップの先端が当たって前記肩当て板と前記ベルトクリップが係止する止め部を備えた
ことを特徴とする請求項１に記載の電話機補助具。
【請求項７】
前記肩当て板は、
前記ベルトクリップの前記爪部と係合する前記係合部と、
前記ベルトクリップの先端が当たって前記肩当て板と前記ベルトクリップが係止する止め部を、
前記開口部の縁に有し、前記係合部が前記ベルトクリップの前記爪部と係合した状態で前記止め部は前記ベルトクリップの先端を係止するように構成した
ことを特徴とする請求項１に記載の電話機補助具。
【請求項８】
前記ベルトクリップを介して前記肩当て板を装着した前記送受話器を、背面を下にして水平面に置いた際に、前記肩当て板の少なくとも二点以上と、前記送受話器の少なくとも一点以上が水平面に接触するように構成した
ことを特徴とする請求項１に記載の電話機補助具。
【請求項９】
前記ベルトクリップを介して前記肩当て板を装着した前記送受話器を、背面を下にして水平面に置いた際に、前記肩当て板の上端部と、前記送受話器の尻部が水平面に接触するように構成した
ことを特徴とする請求項８に記載の電話機補助具。
【請求項１０】
前記肩当て板は、
前記開口部側から上端部に向かうに従って幅が広くなり、前記ベルトクリップを介して前記送受話器に装着した際に、前記開口部側から前記上端部に向かうに従って前記送受話器の背面から離れる向きに湾曲するように構成した
ことを特徴とする請求項１に記載の電話機補助具。
【請求項１１】
前記肩当て板は、
押え部から前記送受話器の受話口の方へ向かって延びた部分と、
先端が前記送受話器の受話口に対して反対方向に向いた部分からなり、
前記送受話器の受話口側が凸となる断面略Ｊ字状となるように構成した
ことを特徴とする請求項１に記載の電話機補助具。
【発明の詳細な説明】
【０００１】
【発明の属する技術分野】
本発明は、電話機における送受話器を、送受話の際に耳と肩の間に挟むことを容易にする電話機補助具に関するものである。
【０００２】
【従来の技術】
電話機を使用する際には、片手で送受話器を持って通話するのが一般的である。通話しながら手帳を開いてメモをとったりというように、両手を使うためには、何らかの方法で送受話器を耳元に保持しなければならない。これを簡単に実現するためには、送受話器を耳と肩の間に挟めばよく、この方法による送受話器の耳元への保持を補助するために、電話機補助具が考えられている（例えば、特許文献１、特許文献２参照。）。
【０００３】
【特許文献１】
実開昭５９−１２７３５９号公報
【特許文献２】
米国特許第６２７８７７９号明細書
【０００４】
【発明が解決しようとする課題】
しかしながら上記従来の構成では、肩当て板を直接送受話器に装着する方式であったため、電話機補助具に、送受話器に装着するための構造、送受話器を耳元へ保持するための構造の両方が求められていた。ゆえに構造が複雑になり、それに伴いコストが高くなるという課題を有していた。
【０００５】
【課題を解決するための手段】
上記従来の課題を解決するために本発明の電話機補助具は、無線送受信可能な送受話器に装着されるベルトクリップと、ベルトクリップに装着される肩当て板とを備え、肩当て板は、ベルトクリップを通す開口部と、開口部を通ったベルトクリップが係合する係合部とを備えたものである。
【０００６】
これにより、送受話器に装着されるベルトクリップと、ベルトクリップに装着される肩当て板からなる電話機補助具を簡単な構成にすることが可能となる。
【０００７】
【発明の実施の形態】
本発明の請求項１に記載の電話機補助具は、無線送受信可能な送受話器に装着されるベルトクリップと、ベルトクリップに装着される肩当て板とを備え、肩当て板は、ベルトクリップを通す開口部と、開口部を通ったベルトクリップが係合する係合部とを備えている。
【０００８】
この構成により、電話機補助具を簡単な構成にすることが可能となる。
【０００９】
本発明の請求項２に記載の電話機補助具において、係合部は、開口部の縁に設けられ、送受話器の背面と対向する面に突設されたベルトクリップの爪部と係合するように構成されている。
【００１０】
この構成により、通常ベルトやポケットやズボンの縁に掛止された状態の送受話器が容易に外れることを防ぐ目的で設けられる爪部を、肩当て板をベルトクリップを介して送受話器に装着するために用いることが可能となる。
【００１１】
本発明の請求項３に記載の電話機補助具において、肩当て板は、ベルトクリップを介して送受話器に装着した際に、ベルトクリップに当たる押え部を開口部の縁に形成している。
【００１２】
この構成により、ベルトクリップを介して肩当て板を装着した送受話器を、肩と耳の間に挟んで保持する際の、肩当て板の送受話器に対する安定性が高まる。
【００１３】
本発明の請求項４に記載の電話機補助具において、肩当て板は、肩に接する面に滑り止めの弾性材を備えている。
【００１４】
この構成により、ベルトクリップを介して肩当て板を装着した送受話器を、肩と耳の間に挟んで保持する際に、肩と肩当て板の間に働く摩擦力を大きくし、送受話器を肩から滑り落ちにくくすることが可能となる。
【００１５】
本発明の請求項５に記載の電話機補助具において、肩当て板は、ベルトクリップが開口部に入るときに、ベルトクリップの先端が当たって乗り越えるガイド部を開口部の縁に備えている。
【００１６】
この構成により、ベルトクリップの先端を容易に肩当て板の開口部に導入することが可能となる。
【００１７】
本発明の請求項６に記載の電話機補助具において、肩当て板は、ベルトクリップの先端が当たって肩当て板とベルトクリップが係止する止め部を備えている。
【００１８】
この構成により、肩当て板がベルトクリップの奥へ入り込むことを防ぐことが可能となる。
【００１９】
本発明の請求項７に記載の電話機補助具において、肩当て板は、ベルトクリップの爪部と係合する係合部と、ベルトクリップの先端が当たって肩当て板とベルトクリップが係止する止め部を開口部の縁に有し、係合部がベルトクリップの爪部と係合した状態で、止め部はベルトクリップの先端を係止するように構成されている。
【００２０】
この構成により、肩当て板とベルトクリップの係合状態を保つことが可能となる。
【００２１】
本発明の請求項８に記載の電話機補助具は、ベルトクリップを介して肩当て板を装着した送受話器を、背面を下にして水平面に置いた際に、肩当て板の少なくとも二点以上と、送受話器の少なくとも一点以上が水平面に接触するように構成されている。
【００２２】
この構成により、送受話器を、背面を下にして水平面に置いた状態で自立安定させることが可能となる。
【００２３】
本発明の請求項９に記載の電話機補助具は、ベルトクリップを介して肩当て板を装着した送受話器を、背面を下にして水平面に置いた際に、肩当て板の上端部と、送受話器の下部の背面が水平面に接触するように構成されている。
【００２４】
この構成により、受話口側が送話口側に対し持ち上がった状態で、送受話器を自立安定させることが可能となる。
【００２５】
本発明の請求項１０に記載の電話機補助具において、肩当て板は、開口部側から上端部に向かうに従って幅が広くなり、ベルトクリップを介して送受話器に装着した際に、開口部側から上端部に向かうに従って送受話器の背面から離れる向きに湾曲するように構成されている。
【００２６】
この構成により、ベルトクリップを介して肩当て板を装着した送受話器を、肩と耳の間に挟んで保持する際に、高い支持力を得るとともに、送受話器を手で把持する際の握り難さを軽減することができる。
【００２７】
本発明の請求項１１に記載の電話機補助具において、肩当て板は、押え部から送受話器の受話口の方へ向かって延びた部分と、先端が送受話器の受話口に対して反対方向に向いた部分からなり、送受話器の受話口側が凸となる断面略Ｊ字状となるように構成されている。
【００２８】
この構成により、送受話器を手などに引掛けて保持することが可能となる。
【００２９】
以下、本発明の実施の形態について、図１から図１３を用いて説明する。
【００３０】
（実施の形態１）
図１は本発明の実施の形態１における電話機補助具の使用状態を示す図、図２は電話機の送受話器にベルトクリップを装着した状態の斜視図、図３は本発明の実施の形態１における電話機補助具の肩当て板を示す斜視図である。図４は本発明の実施の形態１における電話機補助具の肩当て板が、電話機の送受話器に装着されたベルトクリップに装着される過程を段階的に表した断面図であり、（ａ）は肩当て板が装着される前の状態、（ｂ）は肩当て板がベルトクリップを押し上げている状態、（ｃ）は肩当て板の装着が完了した状態を示す。図５は本発明の実施の形態１における電話機補助具が、電話機の送受話器に装着された状態の斜視図、図６は本発明の実施の形態１における電話機補助具を装着した送受話器を、机上に置いた場合の使用状態を示す図である。
【００３１】
図１において、１０は無線通信により電話線に束縛されることなく通話することが可能な電話機の送受話器である。２０は送受話器１０に装着可能なベルトクリップ、３０は送受話器１０に装着されたベルトクリップ２０に装着可能な肩当て板である。ベルトクリップ２０は送受話器１０に装着された状態で、送受話器１０をベルトやポケットやズボンの縁に掛止して持ち運ぶことを可能にする。肩当て板３０は送受話器１０に装着されたベルトクリップ２０に装着し、耳と肩の間に挟む形式での送受話器１０の保持を容易にする。ベルトクリップ２０と肩当て板３０を総称して電話機補助具と呼ぶ。
【００３２】
図１の送受話器１０において、１１は受話音を聴取するための受話口、１２は電話先の相手に話をするための送話口、１３は１２キー及びその他のキーを備えたダイヤルボタン部である。受話口１１、送話口１２、ダイヤルボタン部１３を備えた面の反対側すなわち送受話器１０の背面に電話機補助具を装着する。
【００３３】
図２のベルトクリップ２０において、２１はベルトやポケットやズボンの縁を挟み込むためのクリップ部、２２は送受話器１０を背面から把持することによってベルトクリップ２０を送受話器１０に装着するアーム部である。ベルトクリップ２０は樹脂で構成されており、その弾性により送受話器１０に着脱自在に装着されている。ベルトクリップ２０を送受話器１０に装着すると、クリップ部２１はアーム部２２から送受話器１０の背面に沿って送受話器１０の受話口１１側から送話口１２側へ延びた状態になり、受話器１０とクリップ部２１との間に間隙にベルトやポケットやズボンの縁を挟むことができるようになる。
【００３４】
図３の肩当て板３０において、３１は弾性材で構成し、肩当て板３０の肩に接する面に備えた滑り止め部材である。この構成により、肩当て板３０をベルトクリップ２０を介して装着した送受話器１０を肩と耳の間に挟んで保持する際に、電話機補助具と肩との間にはたらく摩擦力を大きくし、送受話器１０が肩から容易に滑り落ちないようにすることができる。肩当て板３０の肩に接する面を、肩当て板３０の表であるとする。
【００３５】
図４のベルトクリップ２０において、２３はクリップ部２１の先端側の、送受話器１０の背面と対向する面に突設され、ベルトやポケットやズボンの縁に掛止された状態の送受話器１０が容易に外れることを防ぐ爪部である。
【００３６】
また、図４の肩当て板３０において、３２は肩当て板３０をベルトクリップ２０に装着する際に、ベルトクリップ２０のクリップ部２１を肩当て板３０の裏側から通す開口部、３３はクリップ部２１を開口部３２に通す際に、クリップ部２１の先端と爪部２３が開口部３２の縁にあたって乗り越えるように設けられたガイド部である。３４は肩当て板３０がベルトクリップ２０に装着された際に、ベルトクリップ２０の爪部２３が係合する係合部であり、肩当て板３０がベルトクリップ２０から脱落することを防ぐとともに、肩当て板３０がベルトクリップ２０の奥まで入り込むことを防ぐように作用する。
【００３７】
なお、図３、図４において係合部３４は溝状になっているが、ベルトクリップ２０の爪部２３が係合するような形状であれば、例えば肩当て板３０の裏面まで貫通した穴になっていてもよい。
【００３８】
また、図４の肩当て板３０において、３５はベルトクリップ２０に肩当て板３０が装着された状態において、クリップ部２１の先端と対向するように設けられた止め部である。クリップ部２１の先端が止め部３５に当たるように構成することで、肩当て板３０が、ベルトクリップ２０との係合状態からさらにベルトクリップ２０の奥まで入り込むことを防ぐことができる。
【００３９】
このように、係合部３４がベルトクリップ２０の爪部２３と係合した状態で止め部３５はベルトクリップ２０のクリップ部２１の先端を係止するので、電話機補助具を用いて送受話器１０を保持する際に、ベルトクリップ２０と肩当て板３０の係合状態が保たれる。
【００４０】
また、図４の肩当て板３０において、３６は開口部３２の縁の、ガイド部３３と対向する位置に構成される押え部である。ベルトクリップ２０を介して肩当て板３０を送受話器１０に装着すると、押え部３６はベルトクリップ２０のクリップ部２１に当たり、肩当て板３０のぐらつきを抑える。また、電話機補助具を用いて送受話器１０を保持する際に、電話機補助具を受話口１１の方向、すなわち図４（ｃ）中の矢印ａの方向に押え付けるように力が働くと、ベルトクリップ２０が爪部２３で肩当て板３０を押えており、押え部３６がベルトクリップ２０のクリップ部２１を押えて肩当て板３０の沈みを防ぐので、肩当て板３０の送受話器１０に対する安定性が高まる。
【００４１】
また、図４に示すように、肩当て板３０は送受話器１０にベルトクリップ２０を介して装着した際に、開口部３２側から上端部３７に向かうに従い、送受話器１０の背面から離れる向きに湾曲している。この構成により、図１に示すようにベルトクリップ２０を介して肩当て板３０を装着した送受話器１０を耳と肩で挟んで保持する際に、肩にフィットし高い支持力を得ることができる。また、図３に示すように、肩当て板３０は開口部３２側から上端部３７に向かうに従い、肩当て板３０の幅が広くなっている。この構成により、送受話器１０を耳と肩で挟んで保持する際に高い支持力を得るとともに、送受話器１０を手で把持する際の握り難さを軽減することができる。
【００４２】
また、図４の肩当て板３０において、３７は送受話器１０にベルトクリップ２０を介して装着した際の肩当て板３０において、送受話器１０の受話口１１側の端となる上端部である。図６に示すように電話機補助具を装着した送受話器１０を背面を下にして水平面に置くと、送受話器１０の尻部１４が水平面に当たるとともに肩当て板３０の上端部３７が水平面に当たる。
【００４３】
この構成により、机上に置かれた送受話器１０は、図６に示すように受話口１１側が送話口１２側に対し持ち上がった状態で自立安定し、傾きを持った状態で机上に置かれるので、ダイヤルボタン部１３の視認性と操作性がよくなる。したがって、送受話器１０を耳元に保持しなくとも通話をすることが可能な、いわゆるハンズフリーモードを用いれば、握力の弱い人も送受話器１０を机上から全く持ち上げることなく、ダイヤルボタンを操作し電話をかけたり受けたりすることが可能となる。
【００４４】
なお、以上の説明ではベルトクリップ２０を送受話器１０から着脱可能なものとして構成したが、送受話器１０とベルトクリップ２０を一体物として構成することも同様に実施可能である。
【００４５】
また、以上の説明では水平面に対して平らな上端部３７の一辺と送受話器１０の尻部１４を水平面に接触させるように構成したが、上端部３７の少なくとも二点以上と、送受話器１０の尻部１４を水平面に接触させてもよい。これにより送受話器１０が自立安定させることができる。
【００４６】
また、以上の説明では滑り止め部材３１を肩当て板３０の肩に接する面に設けるものとして構成したが、滑り止め部材３１を肩当て板３０の肩に接する面から上端部３７まで回り込むように設けてもよい。これにより電話機補助具を装着した送受話器１０を背面を下にして水平面に置いた際に、送受話器１０が水平面で滑らないようにすることができる。
【００４７】
（実施の形態２）
図７は本発明の実施の形態２における電話機補助具の使用状態を示す図、図８は本発明の実施の形態２における電話機補助具の肩当て板を示す斜視図、図９は本発明の実施の形態２における電話機補助具が、電話機の送受話器に装着された状態の斜視図である。
【００４８】
図８に示すように、本発明の実施の形態２における肩当て板の構成は、滑り止め部材３１の有無と、押え部３６から上端部３７までの形状を除いて本発明の実施の形態１に記載のものと同じである。
【００４９】
図８に示すように肩当て板３０は、押え部３６から上端部３７までの長さが、本発明の実施の形態１の肩当て板３０における押え部３６から上端部３７までの長さの二倍程度になっている。また、図７、図９に示すようにベルトクリップ２０を介して肩当て板３０を送受話器１０に装着した際に、肩当て板３０は押え部３６から送受話器１０の受話口１１の方へ向かって延びた部分と、先端が送受話器１０の受話口１１に対して反対方向に向いた部分からなり、送受話器１０の受話口１１側が凸となる断面略Ｊ字状になっている。
【００５０】
この構成により、図７に示すように送受話器１０を手に引掛けて保持することが可能となる。したがって、握力の弱い人も送受話器１０を持ち上げて電話をすることが可能となる。
【００５１】
なお、肩当て板３０の表の面に滑り止め部材３１を設けて構成することも同様に実施可能である。
【００５２】
（実施の形態３）
図１０は本発明の実施の形態３における電話機補助具の使用状態を示す図、図１１は本発明の実施の形態３における電話機補助具の肩当て板を示す斜視図、図１２は本発明の実施の形態３における電話機補助具の肩当て板が、電話機の送受話器に装着されたベルトクリップに装着される過程を段階的に表した断面図であり、（ａ）は肩当て板が装着される前の状態、（ｂ）は肩当て板がベルトクリップを押し上げている状態、（ｃ）は肩当て板の装着が完了した状態を示す。図１３は本発明の実施の形態３における電話機補助具が、電話機の送受話器に装着された状態の斜視図である。
【００５３】
図１１、図１２に示すように、本発明の実施の形態３における肩当て板は、肩に接する面をガイド部３３や係合部３４を備えた部分から離し、肩にベルトクリップが当たらない構成としたものである。係合部３４の構造は、本発明の実施の形態１に記載のものと同じである。
【００５４】
図１１の肩当て板３０は、肩に接する面が、ガイド部３３と係合部３４を備えた部分から送受話器１０に対して遠い位置に設けられ、また、肩に接する面積が広く、送受話器１０にベルトクリップ２０を介して装着した肩当て板３０の表側にベルトクリップが出てこない。このため、肩にフィットしやすく、さらに、滑り止め部材３１を広い面積に設けることができる。押え部３６は棒状に構成され、電話機補助具を用いて送受話器１０を肩と耳の間に挟んで保持する際に、上端部３７が送受話器１０側に沈み込もうとするのを、押え部３６がベルトクリップ２０に押えることによって沈みにくくする。
【００５５】
以上の構成により、送受話器１０の耳にあたる受話口１１から肩当て板３０の肩に接する面までの距離が長くなり、また肩当て板３０と肩との間にはたらく摩擦力が大きくなる。したがって、電話機補助具を装着した送受話器１０を肩と耳の間に挟んで保持し、電話をしながら両手を使って作業することが容易になる。
【００５６】
【発明の効果】
本発明の電話機補助具は、肩当て板をベルトクリップに装着することで、構造が複雑になりがちな電話機補助具を簡単な構成にし、製造コストを下げることができる。
【００５７】
また、肩当て板の係合部を、ベルトクリップの爪部と係合する構成にすることで、通常ベルトクリップ設けられている爪部を、肩当て板装着のために利用することができる。
【００５８】
また、肩当て板にベルトクリップに当たる押え部を備えることで、肩当て板の送受話器に対する安定性が高まり、ベルトクリップを介して肩当て板を装着した送受話器を、肩と耳の間に挟んで保持する際に、肩当て板と送受話器のぐらつきを抑えることができる。
【００５９】
また、肩当て板の肩に接する面に、滑り止めの弾性材を備えることで、耳と肩の間に挟んで保持した送受話器が滑り落ちにくくなるので、送受話器を耳元に保持した状態で両手を使うことができる。
【００６０】
また、ベルトクリップの先端が当たって乗り越えるガイド部を、肩当て板の開口部の縁に備えることで、使用者は肩当て板の開口部にベルトクリップを通しやすくなり、肩当て板の装着を容易に行うことができる。
【００６１】
また、肩当て板にベルトクリップが係止する止め部を備えることで、肩当て板がベルトクリップの奥に入り込むことを防ぐことができる。
【００６２】
また、係合部がベルトクリップの爪部と係合した状態で、止め部がベルトクリップの先端を係止するように構成することで、送受話器を肩と耳の間に挟んで保持するなど、肩当て板とベルトクリップに力が働く際にも、係合状態を保つことができる。
【００６３】
また、肩当て板の少なくとも二点以上と、送受話器の少なくとも一点以上を机上に接触するように構成し、送受話器を机上に自立安定させることで、握力の弱い人も送受話器を机上から持ち上げることなく電話をかけることができる。
【００６４】
また、肩当て板の上端部と送受話器の下部の背面を机上に接触するように構成し、受話口側が送話口側に対して持ち上がった状態で送受話器が自立安定させることで、ダイヤルボタンが見やすく、操作しやすくなり、握力の弱い人も送受話器を机上から持ち上げることなく電話をかけることができる。
【００６５】
また、開口部側から上端部に向かうに従って幅が広くなり、開口部側から上端部に向かうに従って送受話器の背面から離れる向きに湾曲するように肩当て板を構成することで、送受話器を肩と耳の間に挟んで保持しやすくなるので、送受話器を耳元に保持した状態で両手を使うことができる。
【００６６】
また、送受話器の受話口側が凸となる断面略Ｊ字状となるように構成された肩当て板を装着することで、送受話器を手などに引掛けて保持することが可能となり、握力の弱い人も送受話器を耳元に保持して電話をかけることができる。
【図面の簡単な説明】
【図１】本発明の実施の形態１における電話機補助具の使用状態を示す図
【図２】電話機の送受話器にベルトクリップを装着した状態の斜視図
【図３】本発明の実施の形態１における電話機補助具の肩当て板を示す斜視図
【図４】（ａ）本発明の実施の形態１における電話機補助具の肩当て板が、電話機の送受話器に装着されたベルトクリップに装着される前の状態を示す断面図
（ｂ）本発明の実施の形態１における電話機補助具の肩当て板が、電話機の送受話器に装着されたベルトクリップを押し上げている状態を示す断面図
（ｃ）本発明の実施の形態１における電話機補助具の肩当て板が、電話機の送受話器に装着されたベルトクリップへの装着が完了した状態を示す断面図
【図５】本発明の実施の形態１における電話機補助具が、電話機の送受話器に装着された状態の斜視図
【図６】本発明の実施の形態１における電話機補助具を装着した送受話器を、机上に置いた場合の使用状態を示す図
【図７】本発明の実施の形態２における電話機補助具の使用状態を示す図
【図８】本発明の実施の形態２における電話機補助具の肩当て板を示す斜視図
【図９】本発明の実施の形態２における電話機補助具が、電話機の送受話器に装着された状態の斜視図
【図１０】本発明の実施の形態３における電話機補助具の使用状態を示す図
【図１１】本発明の実施の形態３における電話機補助具の肩当て板を示す斜視図
【図１２】（ａ）本発明の実施の形態３における電話機補助具の肩当て板が、電話機の送受話器に装着されたベルトクリップに装着される前の状態を示す断面図
（ｂ）本発明の実施の形態３における電話機補助具の肩当て板が、電話機の送受話器に装着されたベルトクリップを押し上げている状態を示す断面図
（ｃ）本発明の実施の形態３における電話機補助具の肩当て板が、電話機の送受話器に装着されたベルトクリップへの装着が完了した状態を示す断面図
【図１３】本発明の実施の形態３における電話機補助具が、電話機の送受話器に装着された状態の斜視図
【符号の説明】
１０  送受話器
１１  受話口
１２  送話口
１３  ダイヤルボタン部
１４  尻部
２０  ベルトクリップ
２１  クリップ部
２２  アーム部
２３  爪部
３０  肩当て板
３１  滑り止め部材
３２  開口部
３３  ガイド部
３４  係合部
３５  止め部
３６  押え部
３７  上端部
【図１】
2004207861.tif 000003
【図２】
2004207861.tif 000004
【図３】
2004207861.tif 000005
【図４】
2004207861.tif 000006
【図５】
2004207861.tif 000007
【図６】
2004207861.tif 000008
【図７】
2004207861.tif 000009
【図８】
2004207861.tif 000010
【図９】
2004207861.tif 000011
【図１０】
2004207861.tif 000012
【図１１】
2004207861.tif 000013
【図１２】
2004207861.tif 000014
【図１３】
2004207861.tif 000015